(57)【要約】【課題】過変調時にも振幅変調信号から所望の信号を同期検波することができるＡＭ検波装置を得ることを目的とする。【解決手段】低域通過フィルタ４から出力された検波信号と無信号電位を比較する電圧比較器５と、振幅変調信号の振幅値が基準値より高い場合、その電圧比較器５の比較結果に応じて第１の制御信号又は第２の制御信号を出力し、その振幅変調信号の振幅値が基準値より低い場合、第１の制御信号を出力するＡＮＤ回路９とを設け、その振幅変調信号と電圧制御発振信号の位相差がＡＮＤ回路９から出力された制御信号に対応する位相差と一致するように、その電圧制御発振信号の位相を調整する。【選択図】        図１
2004208218.tif 000002
【特許請求の範囲】
【請求項１】
電圧制御発振信号を参照して、振幅変調信号から所望の信号を同期検波する同期検波手段と、上記同期検波手段の検波信号と無信号電位を比較する比較手段と、その振幅変調信号の振幅値が基準値より高い場合、上記比較手段の比較結果に応じて第１の制御信号又は第２の制御信号を出力し、その振幅変調信号の振幅値が基準値より低い場合、第１の制御信号を出力する制御手段と、その振幅変調信号と電圧制御発振信号の位相差が上記制御手段から出力された制御信号に対応する位相差と一致するように、その電圧制御発振信号の位相を調整する位相調整手段とを備えたＡＭ検波装置。
【請求項２】
制御手段は、振幅変調信号の振幅値が基準値より高い場合、同期検波手段の検波信号が無信号電位より低い間は、第１の制御信号を出力し、その検波信号が無信号電位より高くなると、第２の制御信号を出力することを特徴とする請求項１記載のＡＭ検波装置。
【請求項３】
比較手段は、同期検波手段の検波信号と無信号電位を比較するとともに、その検波信号と反転検出閾値を比較することを特徴とする請求項１記載のＡＭ検波装置。
【請求項４】
制御手段は、振幅変調信号の振幅値が基準値より高い場合、同期検波手段の検波信号が無信号電位より低いとき、あるいは、その検波信号が反転検出閾値より高いとき第１の制御信号を出力し、その検波信号が無信号電位より高く、かつ、その検波信号が反転検出閾値より低いとき第２の制御信号を出力することを特徴とする請求項３記載のＡＭ検波装置。
【請求項５】
制御手段は、振幅変調信号を増幅する増幅器の利得を制御するＡＧＣ回路の利得制御信号と所定の閾値を比較することにより、その振幅変調信号の振幅値が基準値より高いか否かを判断することを特徴とする請求項１記載のＡＭ検波装置。
【請求項６】
制御手段は、同期検波手段の検波信号の下側ピーク値と所定の閾値を比較することにより、振幅変調信号の振幅値が基準値より高いか否かを判断することを特徴とする請求項１記載のＡＭ検波装置。
【請求項７】
制御手段は、同期検波手段の検波信号と所定の閾値を比較することにより、振幅変調信号の振幅値が基準値より高いか否かを判断することを特徴とする請求項１記載のＡＭ検波装置。
【請求項８】
制御手段は、電圧比較器とコンデンサから為る弱電界検出回路を用いて検波信号と所定の閾値を比較することを特徴とする請求項７記載のＡＭ検波装置。
【請求項９】
電圧制御発振信号を参照して、振幅変調信号から所望の信号を同期検波する同期検波手段と、その振幅変調信号の振幅値に応じて反転検出閾値を選択する選択手段と、上記同期検波手段の検波信号と無信号電位を比較するとともに、その検波信号と上記選択手段により選択された反転検出閾値を比較する比較手段と、上記比較手段の比較結果に応じて第１の制御信号又は第２の制御信号を出力する制御手段と、その振幅変調信号と電圧制御発振信号の位相差が上記制御手段から出力された制御信号に対応する位相差と一致するように、その電圧制御発振信号の位相を調整する位相調整手段とを備えたＡＭ検波装置。
【請求項１０】
電圧制御発振信号を参照して、振幅変調信号から所望の信号を同期検波する同期検波手段と、上記同期検波手段の検波信号と無信号電位を比較する第１の比較手段と、上記同期検波手段の検波信号の上側ピーク値と下側ピーク値を検出し、その上側ピーク値と無信号電位の差分と、その下側ピーク値と無信号電位の差分とを比較する第２の比較手段と、上記第１及び第２の比較手段の比較結果に応じて第１の制御信号又は第２の制御信号を出力する制御手段と、その振幅変調信号と電圧制御発振信号の位相差が上記制御手段から出力された制御信号に対応する位相差と一致するように、その電圧制御発振信号の位相を調整する位相調整手段とを備えたＡＭ検波装置。
【発明の詳細な説明】
【０００１】
【発明の属する技術分野】
この発明は、振幅変調信号と電圧制御発振信号の位相差が所定の差を保つように、その電圧制御発振信号の位相を調整するＡＭ検波装置に関するものである。
【０００２】
【従来の技術】
従来のＡＭ検波装置は、振幅変調信号と電圧制御発振信号の位相差が所定の差を保つように、その電圧制御発振信号の位相を調整し、位相調整後の電圧制御発振信号を同期検波回路に出力する。
ただし、映像信号の変調度が１００％を超える過変調時には、その振幅変調信号の位相が反転するため、その振幅変調信号から映像信号を同期検波することができなくなる。
そこで、位相反転時の悪影響を軽減するため、過変調時には振幅変調信号を減衰してから同期検波回路に出力するようにしている（以下の特許文献１を参照）。
【０００３】
【特許文献１】
特開２０００−３１７４５公報（段落番号［００２７］から［００３４］、図１）
【０００４】
【発明が解決しようとする課題】
従来のＡＭ検波装置は以上のように構成されているので、過変調時に振幅変調信号の位相が反転することによる悪影響を軽減することができるが、過変調時には振幅変調信号から映像信号を同期検波することができなくなるなどの課題があった。
【０００５】
この発明は上記のような課題を解決するためになされたもので、過変調時にも振幅変調信号から所望の信号を同期検波することができるＡＭ検波装置を得ることを目的とする。
【０００６】
【課題を解決するための手段】
この発明に係るＡＭ検波装置は、同期検波手段の検波信号と無信号電位を比較する比較手段と、その振幅変調信号の振幅値が基準値より高い場合、その比較手段の比較結果に応じて第１の制御信号又は第２の制御信号を出力し、その振幅変調信号の振幅値が基準値より低い場合、第１の制御信号を出力する制御手段とを設け、その振幅変調信号と電圧制御発振信号の位相差が制御手段から出力された制御信号に対応する位相差と一致するように、その電圧制御発振信号の位相を調整するようにしたものである。
【０００７】
【発明の実施の形態】
以下、この発明の実施の一形態を説明する。
実施の形態１．
図１はこの発明の実施の形態１によるＡＭ検波装置を示す構成図であり、図において、増幅器１はＡＭ検波回路３に与える振幅変調信号の振幅値が一定になるように、その振幅変調信号を増幅する。ＡＧＣ回路２は振幅変調信号の振幅値が小さくなると増幅器１の利得を高くし、その振幅変調信号の振幅値が大きくなると増幅器１の利得を小さくする。
ＡＭ検波回路３はＶＣＯ信号（電圧制御発振信号）を参照して、振幅変調信号から所望の信号（例えば、映像信号）を同期検波する。例えば、ＡＭ検波回路３が負極性のＡＭ検波を行う場合、振幅変調信号の下側の包絡線に映像信号が重畳されているので、ＡＭ検波回路３から振幅変調信号の下側の包絡線が検波信号として出力される。低域通過フィルタ４はＡＭ検波回路３の検波信号に含まれる２次成分を除去する。なお、ＡＭ検波回路３及び低域通過フィルタ４から同期検波手段が構成されている。
【０００８】
電圧比較器５は低域通過フィルタ４により２次成分が除去された検波信号と無信号電位を比較し、その検波信号が無信号電位より低いときはＬレベル信号を出力し、その検波信号が無信号電位より高くなるとＨレベル信号を出力する。電圧比較器６は低域通過フィルタ４により２次成分が除去された検波信号と反転検出閾値を比較し、その検波信号が反転検出閾値より高いときはＬレベル信号を出力し、その検波信号が反転検出閾値より低いときはＨレベル信号を出力する。なお、電圧比較器５，６から比較手段が構成されている。
【０００９】
ＡＮＤ回路７は電圧比較器５の出力信号と電圧比較器６の出力信号との論理積を求める。電圧比較器８は増幅器１に対するＡＧＣ回路２の利得制御信号（ＡＧＣ  Ｆｉｌｔｅｒ  Ｖｏｌｔａｇｅ）と閾値Ｖｔｈ１を比較し、その利得制御信号が閾値Ｖｔｈ１より低い場合（振幅変調信号の振幅値が基準値より高い場合）、Ｈレベル信号を出力し、その利得制御信号が閾値Ｖｔｈ１より高い場合（振幅変調信号の振幅値が基準値より低い場合）、Ｌレベル信号を出力する。ＡＮＤ回路９は電圧比較器８の出力信号とＡＮＤ回路７の出力信号との論理積を求め、その論理結果としてＬレベル信号（第１の制御信号）又はＨレベル信号（第２の制御信号）を出力する。なお、ＡＮＤ回路７、電圧比較器８及びＡＮＤ回路９から制御手段が構成されている。
【００１０】
電圧制御発振器（以下、ＶＣＯという）１０はＶＣＯ信号を発振する。位相シフト回路１１はＶＣＯ１０から発振されたＶＣＯ信号の位相を＋４５°進め、位相シフト回路１２はＶＣＯ１０から発振されたＶＣＯ信号の位相を−４５°遅らせる。ＡＰＣ検波回路１３は振幅変調信号と位相シフト回路１２から出力されるＶＣＯ信号の位相差が＋９０°ずれた状態を維持するようにＶＣＯ１０の発振を制御する。ＡＰＣ検波回路１４は振幅変調信号と位相シフト回路１２から出力されるＶＣＯ信号の位相差が−９０°ずれた状態を維持するようにＶＣＯ１０の発振を制御する。切換スイッチ１５はＡＮＤ回路９からＬレベル信号を受けると、ＡＰＣ検波回路１３をＡＰＣフィルタ１６と接続し、ＡＮＤ回路９からＨレベル信号を受けると、ＡＰＣ検波回路１４をＡＰＣフィルタ１６と接続する。ＡＰＣフィルタ１６はＡＰＣ検波回路１３，１４の制御信号に含まれているノイズを除去する。なお、ＶＣＯ１０、位相シフト回路１１，１２、ＡＰＣ検波回路１３，１４、切換スイッチ１５及びＡＰＣフィルタ１６から位相調整手段が構成されている。
【００１１】
次に動作について説明する。
まず、ＡＧＣ回路２は、ＡＭ検波回路３に与える振幅変調信号の振幅値が一定になるように増幅器１の利得を制御する。即ち、増幅器１に入力される振幅変調信号の振幅値が小さくなると増幅器１の利得を高くするため大きな利得制御信号を出力し、その振幅変調信号の振幅値が大きくなると増幅器１の利得を小さくするため小さな利得制御信号を出力する。
ただし、増幅器１に入力される振幅変調信号の振幅値が極めて小さい場合、増幅器１の利得を最大にするが、増幅器１の利得を最大にしても、所望の振幅値が得られない場合がある。
【００１２】
ＡＭ検波回路３は、増幅器１から振幅変調信号が与えられ、位相シフト回路１１からＶＣＯ信号を受けると、そのＶＣＯ信号を参照して、その振幅変調信号から所望の信号（例えば、映像信号）を同期検波する。
例えば、映像信号の変調度が１００％を超えない通常の変調時では、後述するように、切換スイッチ１５によりＡＰＣ検波回路１３が選択されるため、位相シフト回路１１から受けるＶＣＯ信号と増幅器１から与えられる振幅変調信号の位相差が＋１８０°に固定される。
そのため、ＡＭ検波回路３は、振幅変調信号の下側の包絡線を検波信号として出力することになる（図２、図３を参照）。
低域通過フィルタ４は、ＡＭ検波回路３の検波信号に含まれる２次成分を除去し、その検波信号を電圧比較器５，６に出力する。
【００１３】
電圧比較器５は、低域通過フィルタ４から２次成分が除去された検波信号を受けると、図３に示すように、その検波信号と無信号電位を比較するが、上述したように、通常の変調時では、ＡＭ検波回路３が振幅変調信号の下側の包絡線を検波するので、その検波信号が無信号電位より低くなりＬレベル信号を出力する。
したがって、ＡＮＤ回路９は、電圧比較器６，８の比較結果に関わらず、Ｌレベル信号（第１の制御信号）をスイッチ１５に出力する。
【００１４】
これにより、スイッチ１５がＡＰＣ検波回路１３をＡＰＣフィルタ１６と接続するので、ＡＰＣ検波回路１３が増幅器１から出力される振幅変調信号と位相シフト回路１２から出力されるＶＣＯ信号の位相差が＋９０°ずれた状態を維持するようにＶＣＯ１０の発振を制御する。このため、ＡＭ検波回路３が位相シフト回路１１から受けるＶＣＯ信号と増幅器１から与えられる振幅変調信号の位相差が＋１８０°に固定される。
【００１５】
次に、映像信号の変調度が１００％を超える過変調時では、図２に示すように、増幅器１に入力される振幅変調信号の位相が１８０°ずれてしまうため、一時的にＡＭ検波回路３の出力が反転する現象が発生するが、ＡＰＣ検波回路１３がＡＰＣフィルタ１６と接続されている状態では、ＡＭ検波回路３の出力が直に再反転して、振幅変調信号の下側の包絡線を検波することになる（図２の実際の出力を参照）。しかし、過変調時では、振幅変調信号の位相が１８０°ずれているため、振幅変調信号の上側の包絡線に映像信号が重畳されており、ＡＭ検波回路３が振幅変調信号の上側の包絡線を検波できるようにする必要がある。
電圧比較器５は、低域通過フィルタ４から２次成分が除去された検波信号を受けると、図３に示すように、その検波信号と無信号電位を比較するが、上述したように、過変調時では、一時的にＡＭ検波回路３が振幅変調信号の上側の包絡線を検波するので、その検波信号が無信号電位より高くなりＨレベル信号を出力する。
【００１６】
ＡＮＤ回路９は、電圧比較器５からＨレベル信号が出力されたとき、増幅器１に入力される振幅変調信号の振幅値が基準値より高く、ＡＧＣ回路２の利得制御信号が閾値Ｖｔｈ１より低い場合には、電圧比較器８からＨレベル信号が出力され、低域通過フィルタ４から２次成分が除去された検波信号が反転検出閾値より低い間は電圧比較器６からＨレベル信号が出力されるので、Ｈレベル信号（第２の制御信号）をスイッチ１５に出力する。
【００１７】
これにより、スイッチ１５がＡＰＣ検波回路１４をＡＰＣフィルタ１６と接続するので、ＡＰＣ検波回路１４が増幅器１から出力される振幅変調信号と位相シフト回路１２から出力されるＶＣＯ信号の位相差が−９０°ずれた状態を維持するようにＶＣＯ１０の発振を制御する。このため、ＡＭ検波回路３が位相シフト回路１１から受けるＶＣＯ信号と増幅器１から与えられる振幅変調信号の位相差が０°に固定される。
この結果、過変調時には、ＡＭ検波回路３が振幅変調信号の上側の包絡線を検波するようになる。
【００１８】
ただし、ＡＰＣ検波回路１４が位相差を−９０°ずれた状態に維持することによって、ＡＭ検波回路３が振幅変調信号の上側の包絡線を検波するようにするが、例えば、上側の包絡線を検波するようになる前に、過変調が解消されて通常時に戻ると、ＡＭ検波回路３のＡＭ検波が不安定になるため、本来的にはＡＭ検波回路３が振幅変調信号の下側の包絡線を検波すべきところを誤って振幅変調信号の上側の包絡線を検波するようになることがある。
この場合、低域通過フィルタ４から２次成分が除去された検波信号が反転検出閾値より高ければ、電圧比較器６からＬレベル信号が出力されるので、ＡＮＤ回路９がＬレベル信号（第１の制御信号）をスイッチ１５に出力する。
【００１９】
これにより、スイッチ１５がＡＰＣ検波回路１３をＡＰＣフィルタ１６と接続するので、ＡＰＣ検波回路１３が増幅器１から出力される振幅変調信号と位相シフト回路１２から出力されるＶＣＯ信号の位相差が＋９０°ずれた状態を維持するようにＶＣＯ１０の発振を制御する。このため、ＡＭ検波回路３が位相シフト回路１１から受けるＶＣＯ信号と増幅器１から与えられる振幅変調信号の位相差が＋１８０°に固定される。
この結果、ＡＭ検波回路３が振幅変調信号の上側の包絡線を検波するようになる前に、過変調が解消されて通常時に戻っても、ＡＭ検波回路３が振幅変調信号の下側の包絡線を検波するようになる。
【００２０】
ただし、増幅器１に入力される振幅変調信号の振幅値が基準値より小さい場合（増幅器１の利得を最大にしても、所望の振幅値が得られない弱電界時）、図４に示すように、低域通過フィルタ４から出力された検波信号が反転検出閾値より高くならず、電圧比較器６がＨレベル信号を出力することがある。
この場合、電圧比較器６の出力信号によってＡＰＣ検波回路１３を選択することができないので、この実施の形態１では、電圧比較器８の出力信号によってＡＰＣ検波回路１３を選択するようにする。
【００２１】
即ち、電圧比較器８は、増幅器１に対するＡＧＣ回路２の利得制御信号と閾値Ｖｔｈ１を比較し、その利得制御信号が閾値Ｖｔｈ１より低い場合（振幅変調信号の振幅値が基準値より高い場合）、Ｈレベル信号を出力するが、図４の弱電界時のように、その利得制御信号が閾値Ｖｔｈ１より高い場合（振幅変調信号の振幅値が基準値より低い場合）、Ｌレベル信号を出力する。
【００２２】
これにより、スイッチ１５がＡＰＣ検波回路１３をＡＰＣフィルタ１６と接続するので、ＡＰＣ検波回路１３が増幅器１から出力される振幅変調信号と位相シフト回路１２から出力されるＶＣＯ信号の位相差が＋９０°ずれた状態を維持するようにＶＣＯ１０の発振を制御する。このため、ＡＭ検波回路３が位相シフト回路１１から受けるＶＣＯ信号と増幅器１から与えられる振幅変調信号の位相差が＋１８０°に固定される。
この結果、ＡＭ検波回路３が振幅変調信号の上側の包絡線を検波するようになる前に、過変調が解消されて通常時に戻るとき、増幅器１に入力される振幅変調信号の振幅値が基準値より小さい場合（増幅器１の利得を最大にしても、所望の振幅値が得られない弱電界時）でも、ＡＭ検波回路３が振幅変調信号の下側の包絡線を検波するようになる。
【００２３】
次に、ＡＭ検波回路３が振幅変調信号の上側の包絡線を検波しているとき、過変調が解消されて通常時に戻ると、増幅器１に入力される振幅変調信号の位相が元に戻るため、一時的にＡＭ検波回路３の出力が反転する現象が発生するが、ＡＰＣ検波回路１４がＡＰＣフィルタ１６と接続されている状態では、ＡＭ検波回路３の出力が直に再反転して、振幅変調信号の上側の包絡線を検波することになる。しかし、過変調が解消されて通常時に戻ると、振幅変調信号の位相が元に戻るため、振幅変調信号の下側の包絡線に映像信号が重畳されており、ＡＭ検波回路３が振幅変調信号の下側の包絡線を検波できるようにする必要がある。
【００２４】
電圧比較器５は、低域通過フィルタ４から２次成分が除去された検波信号を受けると、図３に示すように、その検波信号と無信号電位を比較するが、上述したように、通常時に戻ると、一時的にＡＭ検波回路３が振幅変調信号の下側の包絡線を検波するので、その検波信号が無信号電位より低くなりＬレベル信号を出力する。
したがって、ＡＮＤ回路９は、電圧比較器６，８の比較結果に関わらず、Ｌレベル信号（第１の制御信号）をスイッチ１５に出力する。
【００２５】
これにより、スイッチ１５がＡＰＣ検波回路１３をＡＰＣフィルタ１６と接続するので、ＡＰＣ検波回路１３が増幅器１から出力される振幅変調信号と位相シフト回路１２から出力されるＶＣＯ信号の位相差が＋９０°ずれた状態を維持するようにＶＣＯ１０の発振を制御する。このため、ＡＭ検波回路３が位相シフト回路１１から受けるＶＣＯ信号と増幅器１から与えられる振幅変調信号の位相差が＋１８０°に固定される。
この結果、通常時に戻ると、ＡＭ検波回路３が振幅変調信号の下側の包絡線を検波するようになる。
【００２６】
以上で明らかなように、この実施の形態１によれば、低域通過フィルタ４から出力された検波信号と無信号電位を比較する電圧比較器５と、振幅変調信号の振幅値が基準値より高い場合、その電圧比較器５の比較結果に応じて第１の制御信号又は第２の制御信号を出力し、その振幅変調信号の振幅値が基準値より低い場合、第１の制御信号を出力するＡＮＤ回路９とを設け、その振幅変調信号と電圧制御発振信号の位相差がＡＮＤ回路９から出力された制御信号に対応する位相差と一致するように、その電圧制御発振信号の位相を調整するように構成したので、過変調時にも振幅変調信号から所望の信号を同期検波することができる効果を奏する。
【００２７】
また、この実施の形態１によれば、振幅変調信号の振幅値が基準値より高い場合、低域通過フィルタ４から出力された検波信号が無信号電位より低い間は、第１の制御信号を出力し、その検波信号が無信号電位より高くなると、第２の制御信号を出力するように構成したので、過変調の発生を確実に検出することができる効果を奏する。
また、この実施の形態１によれば、低域通過フィルタ４から出力された検波信号と無信号電位を比較するとともに、その検波信号と反転検出閾値を比較するように構成したので、ＡＭ検波回路３のＡＭ検波が不安定になり、本来的にはＡＭ検波回路３が振幅変調信号の下側の包絡線を検波すべきところを誤って振幅変調信号の上側の包絡線を検波していることを検出することができる効果を奏する。
【００２８】
また、この実施の形態１によれば、振幅変調信号の振幅値が基準値より高い場合、低域通過フィルタ４から出力された検波信号が無信号電位より低いとき、あるいは、その検波信号が反転検出閾値より高いとき第１の制御信号を出力し、その検波信号が無信号電位より高く、かつ、その検波信号が反転検出閾値より低いとき第２の制御信号を出力するように構成したので、構成の複雑化を招くことなく、過変調が解消されて通常時に戻ったことを検出することができる効果を奏する。
さらに、この実施の形態１によれば、ＡＧＣ回路２の利得制御信号と閾値Ｖｔｈ１を比較することにより、その振幅変調信号の振幅値が基準値より高いか否かを判断するように構成したので、構成の複雑化を招くことなく、精度よく振幅変調信号の振幅値が基準値より高いか否かを判断することができる効果を奏する。
【００２９】
実施の形態２．
図５はこの発明の実施の形態２によるＡＭ検波装置を示す構成図であり、図において、図１と同一符号は同一または相当部分を示すので説明を省略する。
電圧比較器２１は増幅器１に対するＡＧＣ回路２の利得制御信号と閾値Ｖｔｈ１を比較し、その利得制御信号が閾値Ｖｔｈ１より低い場合（振幅変調信号の振幅値が基準値より高い場合）、Ｈレベル信号を出力し、その利得制御信号が閾値Ｖｔｈ１より高い場合（振幅変調信号の振幅値が基準値より低い場合）、Ｌレベル信号を出力する。選択スイッチ２２は電圧比較器２１からＨレベル信号を受けると反転検出閾値ＶＨを選択し、電圧比較器２１からＬレベル信号を受けると、その反転検出閾値ＶＨより小さい反転検出閾値ＶＬを選択する。なお、電圧比較器２１及び選択スイッチ２２から選択手段が構成されている。
【００３０】
上記実施の形態１では、ＡＧＣ回路２の利得制御信号が閾値Ｖｔｈ１より高くなると、切換スイッチ１５がＡＰＣ検波回路１３を選択するものについて示したが、この場合、過変調が発生しても、弱電界時には、ＡＰＣ検波回路１４を選択することができなくなる。
そこで、この実施の形態２では、弱電界時であっても、過変調時にはＡＰＣ検波回路１４を選択できるようにしている。
【００３１】
即ち、電圧比較器２１は、増幅器１に対するＡＧＣ回路２の利得制御信号と閾値Ｖｔｈ１を比較し、その利得制御信号が閾値Ｖｔｈ１より低い場合（振幅変調信号の振幅値が基準値より高い場合）、Ｈレベル信号を出力する。
これにより、選択スイッチ２２が大きな反転検出閾値ＶＨを選択して、その反転検出閾値ＶＨを電圧比較器６に与えることができる。
一方、その利得制御信号が閾値Ｖｔｈ１より高い場合（振幅変調信号の振幅値が基準値より低い場合）、Ｌレベル信号を出力する。
これにより、選択スイッチ２２が小さな反転検出閾値ＶＬを選択して、その反転検出閾値ＶＬを電圧比較器６に与えることができる。
【００３２】
よって、振幅変調信号の振幅値が基準値より高い場合には、電圧比較器６が検波信号と大きな反転検出閾値ＶＨを比較するが、その振幅変調信号の振幅値が基準値より低い弱電界時には、電圧比較器６が検波信号と小さな反転検出閾値ＶＬを比較するので、弱電界時であっても、過変調時にはＡＰＣ検波回路１４を選択することができる。
【００３３】
実施の形態３．
図６はこの発明の実施の形態３によるＡＭ検波装置を示す構成図であり、図において、図１と同一符号は同一または相当部分を示すので説明を省略する。
下側ピーク検波回路２３は低域通過フィルタ４から出力された検波信号の下側ピーク値を検波し、その下側ピーク値を電圧比較器８に出力する。なお、下側ピーク検波回路２３は制御手段を構成している。
【００３４】
上記実施の形態１では、電圧比較器８が増幅器１に対するＡＧＣ回路２の利得制御信号と閾値Ｖｔｈ１を比較することにより、振幅変調信号の振幅値が基準値より高いか否かを判断するものについて示したが、下側ピーク検波回路２３が検波信号の下側ピーク値を検波し、電圧比較器８が下側ピーク値と閾値Ｖｔｈ２を比較することにより、振幅変調信号の振幅値が基準値より高いか否かを判断するようにしてもよい。即ち、下側ピーク値が閾値Ｖｔｈ２より低くなると、振幅変調信号の振幅値が基準値より低いと判断する。
ただし、閾値Ｖｔｈ２は、通常時の下側ピーク値より少しだけ高い値に設定する必要がある。
【００３５】
この実施の形態３によれば、上記実施の形態１と同様の効果を奏するとともに、ＡＧＣ回路２による利得制御の遅延時間の影響を受けずに済むため（電圧比較器８がＡＧＣ回路２の利得制御信号を入力せず、下側ピーク値を入力している為）、上記実施の形態１よりも速やかに弱電界時の過変調特性を改善することができる効果を奏する。
【００３６】
実施の形態４．
図７はこの発明の実施の形態４によるＡＭ検波装置を示す構成図であり、図において、図５及び図６と同一符号は同一または相当部分を示すので説明を省略する。
電圧比較器２４は下側ピーク検波回路２３により検波された検波信号の下側ピーク値と閾値Ｖｔｈ２を比較し、その下側ピーク値が閾値Ｖｔｈ２より高い場合（振幅変調信号の振幅値が基準値より高い場合）、Ｈレベル信号を出力し、その下側ピーク値が閾値Ｖｔｈ２より低い場合（振幅変調信号の振幅値が基準値より低い場合）、Ｌレベル信号を出力する。なお、電圧比較器２４は選択手段を構成されている。
【００３７】
上記実施の形態２では、電圧比較器２１が増幅器１に対するＡＧＣ回路２の利得制御信号と閾値Ｖｔｈ１を比較するものについて示したが、電圧比較器２４が下側ピーク検波回路２３により検波された検波信号の下側ピーク値と閾値Ｖｔｈ２を比較し、その下側ピーク値が閾値Ｖｔｈ２より高い場合にはＨレベル信号を出力し、その下側ピーク値が閾値Ｖｔｈ２より低い場合にはＬレベル信号を出力するようにしてもよく、上記実施の形態２と同様の効果を奏することができる。
【００３８】
実施の形態５．
図８はこの発明の実施の形態５によるＡＭ検波装置を示す構成図であり、図において、図６と同一符号は同一または相当部分を示すので説明を省略する。
電圧比較器２５とコンデンサ２６から弱電界検出回路２７が構成され、弱電界検出回路２７は振幅変調信号の振幅値が基準値より高いか否かを判断する。電圧比較器２５は低域通過フィルタ４から出力された検波信号と閾値Ｖｔｈ３を比較する。なお、弱電界検出回路２７は制御手段を構成している。
【００３９】
上記実施の形態３では、電圧比較器８が検波信号の下側ピーク値と閾値Ｖｔｈ２を比較することにより、振幅変調信号の振幅値が基準値より高いか否かを判断するものについて示したが、電圧比較器２５とコンデンサ２６から為る弱電界検出回路２７が振幅変調信号の振幅値が基準値より高いか否かを判断するようにしてもよく、上記実施の形態３と同様の効果を奏する。
【００４０】
即ち、弱電界検出回路２７は従来からスピードアップＡＧＣとして用いられる回路であり、電圧比較器２５は特殊なものであって、＋入力側（閾値Ｖｔｈ３）が−入力側（検波信号）より高いときは大きな電流を流し、＋入力側（閾値Ｖｔｈ３）が−入力側（検波信号）より低いときは小さな電流を引き込むように動作する。
このため、検波信号が閾値Ｖｔｈ３より低い状態がある程度継続すると、コンデンサ２６が徐々に放電して、弱電界検出回路２７の出力がＬレベルになる。
一方、検波信号が閾値Ｖｔｈ３より高くなると、コンデンサ２６が急激に充電して、弱電界検出回路２７の出力がＨレベルになる。
【００４１】
これにより、上記実施の形態３と同様の効果を奏することができるが、上記実施の形態３と異なり、ノイズの影響で検波信号の下側ピーク値が低くなっても、その検波信号が低い状態がある程度継続しない限り、弱電界検出回路２７の出力がＬレベルにならないため、耐ノイズ性が高まる効果を奏する。
【００４２】
実施の形態６．
上記実施の形態２では、電圧比較器２１が増幅器１に対するＡＧＣ回路２の利得制御信号と閾値Ｖｔｈ１を比較するものについて示したが、図９に示すように、低域通過フィルタ４から出力された検波信号が閾値Ｖｔｈ３より低い状態がある程度継続すると、弱電界検出回路２７がＬレベル信号を選択スイッチ２２に出力し、その検波信号が閾値Ｖｔｈ３より高くなると、弱電界検出回路２７がＨレベル信号を選択スイッチ２２に出力するようにしてもよく、上記実施の形態２と同様の効果を奏することができる。
【００４３】
実施の形態７．
図１０はこの発明の実施の形態７によるＡＭ検波装置を示す構成図であり、図において、図１と同一符号は同一または相当部分を示すので説明を省略する。
上側ピーク検波回路３１は低域通過フィルタ４から出力された検波信号の上側ピーク値を検波し、下側ピーク検波回路３２は低域通過フィルタ４から出力された検波信号の下側ピーク値を検波する。
ｇｍアンプ３３は上側ピーク検波回路３１により検波された上側ピーク値と無信号電位の差分に応じた電流を出力する。ｇｍアンプ３４はｇｍアンプ３３と同容量のアンプであって、下側ピーク検波回路３２により検波された下側ピーク値と無信号電位の差分に応じた電流を出力する。
なお、上側ピーク検波回路３１、下側ピーク検波回路３２、ｇｍアンプ３３，３４及びコンデンサ３５から比較回路（第２の比較手段）３６を構成している。
【００４４】
この実施の形態７では、過変調の発生は、上記実施の形態１と同様に電圧比較器５が検波信号と無信号電位を比較して検出するが、過変調が解消されて通常時に戻るとき、ＡＭ検波回路３の出力が一時的に反転する現象は次のようにして検出する。
まず、上側ピーク検波回路３１が低域通過フィルタ４から出力された検波信号の上側ピーク値を検波し、下側ピーク検波回路３２が低域通過フィルタ４から出力された検波信号の下側ピーク値を検波する。
【００４５】
次に、過変調が検出されてＡＰＣ検波回路１４が選択されているとき、ＡＭ検波回路３の出力が反転していなければ、上側ピーク値と無信号電位の差分より、下側ピーク値と無信号電位の差分の方が大きいため、ｇｍアンプ３４がコンデンサ３５の充電を継続する。これにより、比較回路３６はＨレベル信号を出力するので、ＡＰＣ検波回路１４の選択が継続される。
一方、ＡＭ検波回路３の出力が反転すると、上側ピーク値と無信号電位の差分が、下側ピーク値と無信号電位の差分の方より大きいため、コンデンサ３５が放電を継続する。これにより、比較回路３６はＬレベル信号を出力するので、ＡＰＣ検波回路１３が選択され、ＡＭ検波回路３の出力の反転を戻すことができる。
【００４６】
以上で明らかなように、この実施の形態７によれば、低域通過フィルタ４から出力された検波信号と無信号電位を比較する電圧比較器５と、その検波信号の上側ピーク値と下側ピーク値を検出し、その上側ピーク値と無信号電位の差分と、その下側ピーク値と無信号電位の差分とを比較する比較回路３６と、電圧比較器５及び比較回路３６の比較結果に応じて第１の制御信号又は第２の制御信号を出力するＡＮＤ回路７とを設けるように構成したので、過変調時にも振幅変調信号から所望の信号を同期検波することができる効果を奏する。
また、この実施の形態７によれば、上記実施の形態１のように、振幅変調信号の振幅値が基準値より高いか否かを判断する電圧比較器８を設けることなく、弱電界時であっても、ＡＭ検波回路３の出力の反転を戻すことができる効果を奏する。
【００４７】
【発明の効果】
以上のように、この発明によれば、同期検波手段の検波信号と無信号電位を比較する比較手段と、その振幅変調信号の振幅値が基準値より高い場合、その比較手段の比較結果に応じて第１の制御信号又は第２の制御信号を出力し、その振幅変調信号の振幅値が基準値より低い場合、第１の制御信号を出力する制御手段とを設け、その振幅変調信号と電圧制御発振信号の位相差が制御手段から出力された制御信号に対応する位相差と一致するように、その電圧制御発振信号の位相を調整し、位相調整後の電圧制御発振信号を同期検波手段に出力するように構成したので、過変調時にも振幅変調信号から所望の信号を同期検波することができる効果がある。
【図面の簡単な説明】
【図１】この発明の実施の形態１によるＡＭ検波装置を示す構成図である。
【図２】振幅変調信号の波形を示す説明図である。
【図３】振幅変調信号と無信号電位及び反転検出閾値との関係を示す説明図である。
【図４】振幅変調信号と無信号電位及び反転検出閾値との関係を示す説明図である。
【図５】この発明の実施の形態２によるＡＭ検波装置を示す構成図である。
【図６】この発明の実施の形態３によるＡＭ検波装置を示す構成図である。
【図７】この発明の実施の形態４によるＡＭ検波装置を示す構成図である。
【図８】この発明の実施の形態５によるＡＭ検波装置を示す構成図である。
【図９】この発明の実施の形態６によるＡＭ検波装置を示す構成図である。
【図１０】この発明の実施の形態７によるＡＭ検波装置を示す構成図である。
【符号の説明】
１  増幅器、２  ＡＧＣ回路、３  ＡＭ検波回路（同期検波手段）、４  低域通過フィルタ（同期検波手段）、５  電圧比較器（比較手段、第１の比較手段）、６  電圧比較器（比較手段）、７  ＡＮＤ回路（制御手段）、８  電圧比較器（制御手段）、９  ＡＮＤ回路（制御手段）、１０  ＶＣＯ（位相調整手段）、１１  位相シフト回路（位相調整手段）、１２  位相シフト回路（位相調整手段）、１３  ＡＰＣ検波回路（位相調整手段）、１４  ＡＰＣ検波回路（位相調整手段）、１５  切換スイッチ（位相調整手段）、１６  ＡＰＣフィルタ（位相調整手段）、２１  電圧比較器（選択手段）、２２  選択スイッチ（選択手段）、２３  下側ピーク検波回路（制御手段）、２４  電圧比較器（選択手段）、２５電圧比較器、２６  コンデンサ、２７  弱電界検出回路（制御手段）、３１  上側ピーク検波回路、３２  下側ピーク検波回路、３３  ｇｍアンプ、３４  ｇｍアンプ、３５  コンデンサ、３６  比較回路（第２の比較手段）。
【図１】
2004208218.tif 000003
【図２】
2004208218.tif 000004
【図３】
2004208218.tif 000005
【図４】
2004208218.tif 000006
【図５】
2004208218.tif 000007
【図６】
2004208218.tif 000008
【図７】
2004208218.tif 000009
【図８】
2004208218.tif 000010
【図９】
2004208218.tif 000011
【図１０】
2004208218.tif 000012